【手続補正書】
【提出日】平成30年9月21日(2018.9.21)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおける複数のセルのうちの少なくともいくつかによって周期的に送信されるポジショニング信号でポジショニング測定を行うためにモバイルデバイスを支援するためのロケーションサーバによって行われる方法であって、
前記モバイルデバイスの推定される位置を決定することと、
前記モバイルデバイスの前記推定される位置に基づいて、前記ワイヤレス通信ネットワークにおける前記複数のセルの候補セルの第１のセットを決定することと、
前記第１のセットの各候補セルによって送信される各それぞれのポジショニング信号の予期される干渉を推定することと、前記推定することは、
前記候補セルのうちのどれが前記モバイルデバイスのサービングセルであるかを決定することと、
前記サービングセルによって送信される前記ポジショニング信号の送信周波数を決定することと、
前記候補セルによって送信される前記ポジショニング信号の送信周波数が前記サービングセルによって送信される前記ポジショニング信号の前記送信周波数と同じであることに基づいて、各候補セルについての予期される干渉レベルを設定することと、
を備え、
前記推定された予期される干渉に基づいて、候補セルの前記第１のセットからセルのサブセットを選択することと、
セルの前記選択されたサブセットを識別する支援データを生成することと、
前記生成された支援データを前記モバイルデバイスに送ることと、
を備える、方法。
【請求項２】
前記モバイルデバイスの推定される位置を決定することは、
前記複数のセルのうちのどれが前記モバイルデバイスのサービングセルであるかを決定することと、
前記モバイルデバイスの前記推定される位置を前記サービングセルの中心に設定することと、
を含む、請求項１に記載の方法。
【請求項３】
前記モバイルデバイスの前記推定される位置を決定することは、
前記サービングセルに含まれる基地局の最大のアンテナ範囲を、前記基地局のサービングパワーレベルにしたがってスケーリングすることと、
前記スケーリングされた最大のアンテナ範囲に基づいて、前記モバイルデバイスの前記推定される位置を前記サービングセルの中心に設定することと、
をさらに含む、請求項２に記載の方法。
【請求項４】
前記モバイルデバイスの前記推定される位置を決定することは、前記複数のセルのうちの少なくともいくつかに含まれる基地局のサービングまたはアクティブパワーレベルに基づく、請求項１に記載の方法。
【請求項５】
候補セルの前記第１のセットを決定することは、
前記モバイルデバイスの前記推定される位置と前記複数のセルのうちの少なくともいくつかに含まれる各基地局との間の距離がしきい値距離内であるか、および前記モバイルデバイスの前記推定される位置が前記それぞれの基地局の最大のアンテナ範囲内であるかを決定することと、そうである場合、
前記それぞれのセルを候補セルの前記第１のセットに追加することと、
を含む、請求項１に記載の方法。
【請求項６】
前記第１のセットの各候補セルによって送信される各それぞれのポジショニング信号の前記予期される干渉を推定することは、前記サービングセルの送信周波数と同じである送信周波数を有する前記第１のセットの各候補セルについて、前記サービングセル内の様々なロケーションに関連付けられる２つ以上のサービングパワーレベルでの予期される干渉を推定することを含む、請求項１に記載の方法。
【請求項７】
前記第１のセットの各候補セルによって送信される各それぞれのポジショニング信号の前記予期される干渉を推定することは、
推定される干渉を、前記サービングセルの送信周波数と同じである前記送信周波数を有する前記第１のセットの各候補セルについての前記サービングセルのパワーレベルより低く設定すること
を含む、請求項１に記載の方法。
【請求項８】
候補セルの前記第１のセットからセルの前記サブセットを選択することは、
各それぞれの候補セルの前記推定された干渉に基づいて、各サービングセル内の２つ以上のロケーションでのリンクマージンを推定することと、
前記推定されたリンクマージンに応答して、各候補セルについて前記ポジショニング信号の利用可能性の確率を推定することと、
各候補セルについて、前記モバイルデバイスが、同じ物理セルＩＤを使用する２つの異なるセルアンテナ間で区別できない確率を表す、前記ポジショニング信号の曖昧性の確率を推定することと、
曖昧性の前記推定された確率でスケーリングされた利用可能性の前記推定された確率に基づいて、前記第１のセットにおける各候補セルをスコアリングすることと、
最高のスコアを有する、前記第１のセットからのそれら候補セルを、セルの前記サブセットに追加することと、
を含む、請求項１に記載の方法。
【請求項９】
ワイヤレス通信ネットワークにおける複数のセルのうちの少なくともいくつかによって周期的に送信されるポジショニング信号でポジショニング測定を行うためにモバイルデバイスを支援するために記憶されたプログラムコードを含む非一時的コンピュータ可読媒体であって、前記プログラムコードは、
前記モバイルデバイスの推定される位置を決定することと、
前記モバイルデバイスの前記推定される位置に基づいて、前記ワイヤレス通信ネットワークにおける前記複数のセルの候補セルの第１のセットを決定することと、
前記第１のセットの各候補セルによって送信される各それぞれのポジショニング信号の予期される干渉を推定することと、前記推定することは、
前記候補セルのうちのどれが前記モバイルデバイスのサービングセルであるかを決定することと、
前記サービングセルによって送信される前記ポジショニング信号の送信周波数を決定することと、
前記候補セルによって送信される前記ポジショニング信号の送信周波数が前記サービングセルによって送信される前記ポジショニング信号の前記送信周波数と同じであることに基づいて、各候補セルについての予期される干渉レベルを設定することと、
を備え、
前記推定された予期される干渉に基づいて、候補セルの前記第１のセットからセルのサブセットを選択することと、
セルの前記選択されたサブセットを識別する支援データを生成することと、
前記生成された支援データを前記モバイルデバイスに送ることと、
を行うための命令を備える、媒体。
【請求項１０】
前記モバイルデバイスの推定される位置を決定するための前記命令は、
前記複数のセルのうちのどれが前記モバイルデバイスのサービングセルであるかを決定することと、
前記モバイルデバイスの前記推定される位置を前記サービングセルの中心に設定することと、
前記サービングセルに含まれる基地局の最大のアンテナ範囲を、前記基地局のサービングパワーレベルにしたがってスケーリングすることと、
前記スケーリングされた最大のアンテナ範囲に基づいて、前記モバイルデバイスの前記推定される位置を前記サービングセルの中心に設定することと、
を行うための命令を含む、請求項９に記載の媒体。
【請求項１１】
前記第１のセットの各候補セルによって送信される各それぞれのポジショニング信号の前記予期される干渉を推定するための前記命令は、前記サービングセルの送信周波数と同じである送信周波数を有する前記第１のセットの各候補セルについて、前記サービングセル内の様々なロケーションに関連付けられる２つ以上のサービングパワーレベルでの予期される干渉を推定するための命令を含む、請求項９に記載の媒体。
【請求項１２】
前記第１のセットの各候補セルによって送信される各それぞれのポジショニング信号の前記予期される干渉を推定するための前記命令は、
推定干渉を、前記サービングセルの送信周波数と同じである前記送信周波数を有する前記第１のセットの各候補セルについての前記サービングセルのパワーレベルより低く設定すること
を行うための命令を含む、請求項９に記載の媒体。
【請求項１３】
候補セルの前記第１のセットからセルの前記サブセットを選択するための前記命令は、
引き起こされる、各それぞれの候補セルの前記推定された干渉に基づいて、各候補セル内の２つ以上のロケーションでのリンクマージンを推定することと、
前記推定されたリンクマージンに応答して、各候補セルについて前記ポジショニング信号の利用可能性の確率を推定することと、
各候補セルについて、前記モバイルデバイスが、同じ物理セルＩＤを使用する２つの異なるセルアンテナ間で区別できない確率を表す、前記ポジショニング信号の曖昧性の確率を推定することと、
曖昧性の前記推定された確率でスケーリングされた利用可能性の前記推定された確率に基づいて、前記第１のセットにおける各候補セルをスコアリングすることと、
最高のスコアを有する、前記第１のセットからのそれら候補セルを、セルの前記サブセットに追加することと、
を行うための命令を含む、請求項９に記載の媒体。
【請求項１４】
ワイヤレス通信ネットワークにおける複数のセルのうちの少なくともいくつかによって周期的に送信されるポジショニング信号でポジショニング測定を行うためにモバイルデバイスを支援するための装置であって、
プログラムコードを記憶するように適合されたメモリと、
前記メモリに結合された処理ユニットと、
を備え、前記処理ユニットは、前記装置に、
前記モバイルデバイスの推定される位置を決定することと、
前記モバイルデバイスの前記推定される位置に基づいて、前記ワイヤレス通信ネットワークにおける前記複数のセルの候補セルの第１のセットを決定することと、
前記候補セルのうちのどれが前記モバイルデバイスのサービングセルであるかを決定することと、前記サービングセルによって送信される前記ポジショニング信号の送信周波数を決定することと、前記候補セルによって送信される前記ポジショニング信号の送信周波数が前記サービングセルによって送信される前記ポジショニング信号の前記送信周波数と同じであることに基づいて、各候補セルについての予期される干渉レベルを設定することとによって、少なくとも一部、前記複数のセルのうちの１つ以上の他のセルによる信号の送信によって引き起こされる、前記第１のセットの各候補セルによって送信される各それぞれのポジショニング信号の予期される干渉を推定することと、
前記推定された予期される干渉に基づいて、候補セルの前記第１のセットからセルのサブセットを選択することと、
セルの前記選択されたサブセットを識別する支援データを生成することと、
前記生成された支援データを前記モバイルデバイスに送ることと、
を行うように指示する前記プログラムコードに含まれる命令をアクセスおよび実行する、装置。
【請求項１５】
前記装置は、ロングタームエボリューション（ＬＴＥ）ワイヤレス通信システムとともに使用するためのロケーションサーバであり、前記処理ユニットは、前記ロケーションサーバに、
前記ＬＴＥワイヤレス通信システムに含まれる複数のセルのうちのサービングセルを介して、前記モバイルデバイスから支援データの要求を受信すること、ここにおいて、前記複数のセルの各セルは、前記ＬＴＥワイヤレス通信システム内でのモバイルデバイスの観測到着時間差（ＯＴＤＯＡ）ポジショニングのためにポジション基準信号（ＰＲＳ）を周期的に送信するように構成される、
を行うように指示する前記プログラムコードに含まれる命令を実行するようにさらに構成される、請求項１４に記載の装置。